(57)【要約】【課題】クラッチ板の寿命低下を抑制しつつ発進性を改善することができる発進制御装置及び発進制御方法を提供する。【解決手段】過給機２と機械式自動変速装置１２とを備えた車両の発進制御装置４であって、停止している車両のアクセルペダルが踏み込まれた場合に、機械式自動変速装置１２によりクラッチを接続させることなく燃料噴射装置１１から燃料を噴射させることにより、タービン３を回転させるタービン回転始動制御を行うタービン回転始動制御部３１と、タービン回転始動制御の後に、エンジン１に負荷を与えることにより、過給機２の過給圧力を上げる過給圧力上昇制御を行う過給圧力上昇制御部３２と、過給圧力上昇制御の後に、燃料噴射装置１１から燃料を噴射させるとともに、機械式自動変速装置１２によりクラッチを接続させることにより、車両を発進させる発進実行制御を行う発進実行制御部３３と、を備える。【選択図】図２
2015101242.tif 000002
【特許請求の範囲】
【請求項１】
エンジンの排気ガスによりタービンを回転させて前記エンジンに圧縮空気を供給する過給機と、クラッチの接続を自動で行う機械式自動変速装置と、を備えた車両の発進制御装置であって、
停止している前記車両のアクセルペダルが踏み込まれた場合に、前記機械式自動変速装置により前記クラッチを接続させることなく燃料噴射装置から燃料を噴射させることにより、前記タービンを回転させるタービン回転始動制御を行うタービン回転始動制御部と、
前記タービン回転始動制御の後に、前記エンジンに負荷を与えることにより、前記過給機の過給圧力を上げる過給圧力上昇制御を行う過給圧力上昇制御部と、
前記過給圧力上昇制御の後に、前記燃料噴射装置から前記燃料を噴射させるとともに、前記機械式自動変速装置により前記クラッチを接続させることにより、前記車両を発進させる発進実行制御を行う発進実行制御部と、
を備える発進制御装置。
【請求項２】
前記過給圧力上昇制御部は、前記機械式自動変速装置により前記クラッチを接続させることにより前記エンジンに負荷を与える、
請求項１に記載の発進制御装置。
【請求項３】
前記過給圧力上昇制御部は、前記機械式自動変速装置により前記クラッチを半クラッチ状態である第一接続状態よりも前記クラッチの滑り量が多くなる第二接続状態で接続させることにより前記エンジンに負荷を与える、
請求項１に記載の発進制御装置。
【請求項４】
前記過給圧力上昇制御部は、前記エンジンの動力により駆動されるエンジン負荷増大装置を作動させることにより前記エンジンに負荷を与える、
請求項１〜３の何れか一項に記載の発進制御装置。
【請求項５】
前記タービン回転始動制御部は、前記燃料噴射装置から前記アクセルペダルの操作量に対応した第一噴射量よりも少ない第二噴射量で前記燃料を噴射させる、
請求項１〜４の何れか一項に記載の発進制御装置。
【請求項６】
前記車両は、ブレーキ操作により車両が停止するとアクセルが踏み込まれるまで制動力を維持する制動力維持装置を更に備えており、
前記発進制御装置は、アクセルが踏み込まれても、前記発進実行制御部が前記発進実行制御を開始するまで前記制動力を維持する、
請求項１〜５の何れか一項に記載の発進制御装置。
【請求項７】
エンジンの排気ガスによりタービンを回転させて前記エンジンに圧縮空気を供給する過給機と、クラッチの接続を自動で行う機械式自動変速装置と、を備えた車両の発進制御方法であって、
停止している前記車両のアクセルペダルが踏み込まれた場合に、燃料噴射装置から燃料を噴射させることにより、前記タービンを回転させるタービン回転始動制御ステップと、
前記タービン回転始動制御ステップの後に、前記エンジンに負荷を与えることにより、前記過給機の過給圧力を上げる過給圧力上昇制御ステップと、
前記過給圧力上昇制御ステップの後に、前記燃料噴射装置から前記燃料を噴射させるとともに、前記機械式自動変速装置により前記クラッチを接続させることにより、前記車両を発進させる発進実行制御ステップと、
を備える発進制御方法。
【発明の詳細な説明】
【技術分野】
【０００１】
本発明は、車両の発進制御を行う発進制御装置及び発進制御方法に関する。
【背景技術】
【０００２】
従来、車両の燃費を改善するために、エンジンを小排気量化してエンジンにターボなどの過給機を接続することが行われている。このような車両では、過給機の過給圧力が十分に上昇する前に大量の燃料が噴射されると黒煙が発生するため、過給機の過給圧力が十分に上昇するまでは燃料の噴射量を制限するブーストコンペンセーター（boost compensator）が搭載されている。このため、発進時に過給機の過給圧力が十分に上昇していないと、ブーストコンペンセーターの働きにより燃料の噴射量が制限されることで、発進に必要なトルクを確保できなくなり、発進性が悪化する。
【０００３】
近年、大型トラックなどでは、機械式自動変速装置（ＡＭＴ：Automated Manual Transmission）を搭載した車両が広く市販されている。このような車両では、発進性を向上させるために、アイドル回転数を上げたり、半クラッチの時間を長く設定したりすることが考えられる。なお、発進性を向上させるためにアイドル回転数を上げることは、特許文献１に記載されている。
【先行技術文献】
【特許文献】
【０００４】
【特許文献１】特開平１１−３１５７４０号公報
【発明の概要】
【発明が解決しようとする課題】
【０００５】
しかしながら、アイドル回転数を上げたり、半クラッチの時間を長く設定したりすると、クラッチ板の摩耗が促進されるため、クラッチの寿命低下を招くという問題がある。
【０００６】
そこで、本発明は、クラッチ板の寿命低下を抑制しつつ発進性を改善することができる発進制御装置及び発進制御方法を提供することを目的とする。
【課題を解決するための手段】
【０００７】
本発明の一側面に係る発進制御装置は、エンジンの排気ガスによりタービンを回転させてエンジンに圧縮空気を供給する過給機と、クラッチの接続を自動で行う機械式自動変速装置と、を備えた車両の発進制御装置であって、停止している車両のアクセルペダルが踏み込まれた場合に、機械式自動変速装置によりクラッチを接続させることなく燃料噴射装置から燃料を噴射させることにより、タービンを回転させるタービン回転始動制御を行うタービン回転始動制御部と、タービン回転始動制御の後に、エンジンに負荷を与えることにより、過給機の過給圧力を上げる過給圧力上昇制御を行う過給圧力上昇制御部と、過給圧力上昇制御の後に、燃料噴射装置から燃料を噴射させるとともに、機械式自動変速装置によりクラッチを接続させることにより、車両を発進させる発進実行制御を行う発進実行制御部と、を備える。
【０００８】
本発明の一側面に係る発進制御装置によれば、タービン回転始動制御部のタービン回転始動制御によりクラッチを接続することなく燃料噴射装置から燃料を噴射させると、エンジンの回転数が上がるため、エンジンから排出される排気ガスによりタービンが回転する。その後、過給圧力上昇制御部の過給圧力上昇制御によりエンジンに負荷を与えると、エンジンは回転数が低下するが、タービンは慣性により回転し続けようとするためエンジンよりも回転数の低下速度が遅くなる。これにより、過給機の過給圧力が上がる。その後、発進実行制御部の発進実行制御により燃料噴射装置から燃料を噴射させるとともに機械式自動変速装置によりクラッチを接続させることにより、車両が発進する。ここで、発進実行制御を行う際は、過給圧力上昇制御により過給機の過給圧力が高くなっているため、車両を発進させるための十分なトルクを確保できる。これにより、車両の発進性が向上する。また、発進実行制御を行う際は、過給圧力上昇制御によりエンジンの回転数が低下しているため、クラッチの接続に伴うクラッチ板の摩耗が抑制される。これにより、クラッチの寿命低下を抑制することができる。
【０００９】
一実施形態として、過給圧力上昇制御部は、機械式自動変速装置によりクラッチを接続させることによりエンジンに負荷を与えることができる。このように、過給圧力上昇制御部が、機械式自動変速装置によりクラッチを接続させることで、エンジンに回転を停止させようとする負荷が発生するため、エンジンの回転数を低下させることができる。
【００１０】
また、一実施形態として、過給圧力上昇制御部は、機械式自動変速装置によりクラッチを半クラッチ状態である第一接続状態よりもクラッチの滑り量が多くなる第二接続状態で接続させることによりエンジンに負荷を与えることができる。このように、過給圧力上昇制御部が、機械式自動変速装置によりクラッチを接続させることで、エンジンに回転を阻害しようとする負荷が発生するため、エンジンの回転数を低下させることができる。しかも、過給圧力上昇制御部が、クラッチを半クラッチ状態である第一接続状態よりもクラッチの滑り量が多くなる第二接続状態で接続させるため、クラッチ板の摩耗を抑制しつつ、エンジンの回転数を下げることができる。この場合、例えば、第二接続状態を車両が発進しない程度の接続状態とすることで、別途制動力を発生させなくても、クラッチの接続により車両が不意に発進するのを防止することができる。
【００１１】
また、一実施形態として、過給圧力上昇制御部は、エンジンの動力により駆動されるエンジン負荷増大装置を作動させることによりエンジンに負荷を与えることができる。このように、過給圧力上昇制御部が、エンジンの動力により駆動されるエンジン負荷増大装置を作動させることで、エンジンに回転を阻害しようとする負荷が発生するため、エンジンの回転数を低下させることができる。そして、例えば、クラッチの接続を伴わずにエンジンに負荷を与える場合は、クラッチ板を摩耗させることなくエンジンに負荷を与えることができるため、クラッチの寿命低下を大きく抑制することができる。一方、例えば、クラッチの接続と併せてエンジンに負荷を与える場合であっても、エンジンに負荷を与えるためのクラッチの役割分担量が減るため、寿命低下を抑制することができる。
【００１２】
また、一実施形態として、タービン回転始動制御部は、燃料噴射装置からアクセルペダルの操作量に対応した第一噴射量よりも少ない第二噴射量で燃料を噴射させることができる。タービン回転始動制御では、クラッチを接続させないため、クラッチを接続させる場合よりも、エンジンを回転させるために必要な燃料が少なくなる。そこで、タービン回転始動制御部は、燃料噴射装置からアクセルペダルの操作量に対応した第一噴射量よりも少ない第二噴射量で燃料を噴射させることで、燃料消費量の増加を抑制しつつ、エンジン及びタービンを回転させることができる。
【００１３】
また、一実施形態として、車両は、ブレーキ操作により車両が停止するとアクセルが踏み込まれるまで制動力を維持する制動力維持装置を更に備えており、発進制御装置は、アクセルが踏み込まれても、発進実行制御部が発進実行制御を開始するまで制動力を維持することができる。タービン回転始動制御及び過給圧力上昇制御を行うと、ドライバがアクセルを踏み込んでから車両が発進されるまでの間にタイムラグがある。このため、車両が勾配のある道路等に停車している場合は、その間に車両が下り側に下がる可能性がある。そこで、制動力維持装置を備えるとともに、制動力維持装置が、アクセルが踏み込まれても、発進実行制御部が発進実行制御を開始するまで制動力を維持することで、勾配のある道路等に停車している場合にも、タービン回転始動制御及び過給圧力上昇制御を行っている際に車両が下り側に下がるのを防止することができる。
【００１４】
本発明の別の一側面に係る発進制御方法は、エンジンの排気ガスによりタービンを回転させてエンジンに圧縮空気を供給する過給機と、クラッチの接続を自動で行う機械式自動変速装置と、を備えた車両の発進制御方法であって、停止している車両のアクセルペダルが踏み込まれた場合に、燃料噴射装置から燃料を噴射させることにより、タービンを回転させるタービン回転始動制御ステップと、タービン回転始動制御ステップの後に、エンジンに負荷を与えることにより、過給機の過給圧力を上げる過給圧力上昇制御ステップと、過給圧力上昇制御ステップの後に、燃料噴射装置から燃料を噴射させるとともに、機械式自動変速装置によりクラッチを接続させることにより、車両を発進させる発進実行制御ステップと、を備える。
【００１５】
本発明の別の一側面に係る発進制御方法によれば、タービン回転始動制御ステップにより燃料噴射装置から燃料を噴射させると、エンジンの回転数が上がることで、エンジンから排出される排気ガスによりタービンが回転する。その後、過給圧力上昇制御ステップによりエンジンに負荷を与えると、エンジンは回転数が低下するが、タービンは慣性により回転し続けようとするためエンジンよりも回転数の低下速度が遅くなる。これにより、過給機の過給圧力が上がる。その後、発進実行制御ステップにより燃料噴射装置から燃料を噴射させるとともに機械式自動変速装置によりクラッチを接続させると、車両が発進する。ここで、発進実行制御ステップを行う際は、過給圧力上昇制御ステップにより過給機の過給圧力が高くなっているため、車両を発進させるための十分なトルクを確保できる。これにより、車両の発進性が向上する。また、発進実行制御ステップを行う際は、過給圧力上昇制御ステップによりエンジンの回転数が低下しているため、クラッチの接続に伴うクラッチ板の摩耗が抑制される。これにより、クラッチの寿命低下を抑制することができる。
【発明の効果】
【００１６】
本発明によれば、クラッチ板の寿命低下を抑制しつつ発進性を改善することができる。
【図面の簡単な説明】
【００１７】
【図１】本実施形態に係る発進制御装置が搭載される車両のエンジン部分を示す概略図である。
【図２】本実施形態に係る発進制御装置の概略構成を示すブロック図である。
【図３】本実施形態に係る発進制御装置の処理動作を示すフローチャートである。
【図４】本実施形態に係る発進制御装置の処理動作を示すフローチャートである。
【図５】本実施形態に係る発進制御装置の処理動作を説明するためのタイムチャートである。
【図６】比較例の発進制御装置の処理動作を説明するためのタイムチャートである。
【発明を実施するための形態】
【００１８】
以下、本実施形態に係る発進制御装置及び発進制御方法について、図面を参照して詳細に説明する。なお、各図において同一又は相当する要素については同一の符号を付し、重複する説明を省略する。
【００１９】
本実施形態に係る発進制御装置は、大型トラックなどの車両に搭載されて、停止している車両の発進制御を行うものである。
【００２０】
図１は、本実施形態に係る発進制御装置が搭載される車両のエンジン部分を示す概略図である。図１に示すように、本実施形態に係る発進制御装置が搭載される車両は、エンジン１に過給機２が接続されている。過給機２には、エンジン１から排出された排気ガスの流路に配置されたタービン３が設けられている。過給機２は、エンジン１から排出された排気ガスによりタービン３を回転させるとともに、タービン３の回転により外気を圧縮した圧縮空気をエンジン１に供給するものである。
【００２１】
図２は、本実施形態に係る発進制御装置の概略構成を示すブロック図である。図１及び図２に示すように、本実施形態に係る発進制御装置４は、燃料噴射装置１１と、機械式自動変速装置（ＡＭＴ：Automated Manual Transmission）１２と、制動力維持装置１３と、ギア位置情報取得部２１と、ブレーキ操作量取得部２２と、アクセル操作量取得部２３と、エンジン回転数取得部２４と、タービン回転数取得部２５と、過給圧力取得部２６と、吸入空気量取得部２７と、制動力維持情報取得部２８と、ＥＣＵ（Electronic Control Unit）３０と、を備えている。
【００２２】
燃料噴射装置１１は、エンジン１に供給する燃料を噴射する装置である。エンジン１がディーゼルエンジンである場合は、燃料噴射装置１１は、エンジン１のシリンダー（不図示）内に直接燃料を噴射する。そして、燃料噴射装置１１は、ドライバのアクセス操作やＥＣＵ３０の制御に基づいて、燃料の噴射量、噴射タイミング等を細かく変更することが可能となっている。
【００２３】
機械式自動変速装置１２は、クラッチの接続を自動で行う変速機である。機械式自動変速装置１２は、ドライバがシフトチェンジすると、クラッチの切り離し、ギア位置の変更、クラッチの接続、の一連の変速動作を自動で行う。
【００２４】
クラッチの切り離し及び接続は、エンジン１側に配置されたクラッチ板と駆動輪（不図示）側に配置されたクラッチ板とを切り離し及び接続することにより行う。これらの一対のクラッチ板は、ばね等の弾性部材により互いに押圧されており、機械式自動変速装置１２により一方のクラッチ板を他方のクラッチ板に対する接離方向にストロークさせることが可能となっている。クラッチをストロークするとは、一方のクラッチ板を他方のクラッチ板に対して相対的に移動させることをいう。そして、機械式自動変速装置１２は、このクラッチのストローク量を調整することで、クラッチの切り離し及び接続を行う。例えば、クラッチをストロークさせて、一対のクラッチ板を完全に離間させることで、クラッチを切り離す。また、クラッチをストロークさせて、一対のクラッチ板の間に滑りを生じさせつつ一対のクラッチ板を接続させることで、クラッチが半クラッチ状態で接続する。半クラッチ状態とは、一対のクラッチ板の間に滑りが生じつつ一対のクラッチ板が接続された状態であって、クラッチを接続する際にエンジン１に過負荷が生じないように、エンジン１の回転駆動力の一部のみを駆動輪に伝達し、エンジン１の回転駆動力の一部を一対のクラッチ板の間の滑りにより逃す状態である。また、クラッチをストロークさせて、一対のクラッチ板の間に滑りを生じさせないように一対のクラッチ板を接続させることで、クラッチが完全に接続する。
【００２５】
機械式自動変速装置１２のギア位置は、シフトレバーの操作、つまり、シフトレバーのシフト位置を変更することにより切り替えることが可能となっている。機械式自動変速装置１２のギア位置としては、例えば、オートマチックトランスミッション（ＡＴ）のように、パーキング、バック、ニュートラル、ドライブのギア位置や、マニュアルトランスミッション（ＭＴ）のように、１速、２速、３速、４速、バック、ニュートラルのギア位置等がある。
【００２６】
そして、機械式自動変速装置１２は、ＥＣＵ３０の制御により、クラッチのストローク量や変速動作のタイミング等を細かく変更することが可能となっている。
【００２７】
制動力維持装置１３は、ブレーキ操作により車両が停止すると、アクセルが踏み込まれるまで制動力を維持する装置である。制動力維持装置１３としては、例えば、ブレーキホースに電磁弁を取り付け、電磁弁の作動により制動力となるブレーキエア圧や油圧を維持するもの等を用いることができる。
【００２８】
制動力維持装置１３の作動開始条件は、特に限定されるものではないが、例えば、ブレーキ操作により車両が停止したこと、車両停止後ブレーキペダルを所定時間踏み続けたこと、勾配のある場所でブレーキ操作により車両が停止したこと、等とすることができる。制動力維持装置１３の作動開始条件とは、制動力維持装置１３を作動させて、車両が動かないように制動力を維持する条件である。制動力維持装置１３の作動を停止する停止条件は、特に限定されるものではないが、例えば、機械式自動変速装置１２のギア位置がニュートラル以外のギア位置に切り替えられてクラッチが半クラッチ状態で接続されたこと、更にブレーキが解除されてアクセルが踏み込まれたこと、等とすることができる。制動力維持装置１３の停止条件とは、制動力維持装置１３の作動を停止して、車両が動けるように制動力の維持を解除する条件である。
【００２９】
そして、制動力維持装置１３は、ＥＣＵ３０の制御に基づいて、作動及び停止のタイミングを変更することが可能となっている。
【００３０】
ギア位置情報取得部２１は、機械式自動変速装置１２のギア位置の情報を取得するものである。ギア位置情報取得部２１としては、例えば、機械式自動変速装置１２のギア位置を切り替えるシフトレバーの位置を検出するセンサや、機械式自動変速装置１２のギア位置を検出するセンサ等を用いることができる。そして、ギア位置情報取得部２１は、取得したギア位置の情報をＥＣＵ３０に送信する。
【００３１】
ブレーキ操作量取得部２２は、ブレーキペダル（不図示）の操作量を取得するものである。ブレーキ操作量取得部２２としては、例えば、ブレーキペダルのストローク量を検出するセンサや、ブレーキホースの油圧を検出する油圧センサ等を用いることができる。そして、ブレーキ操作量取得部２２は、取得したブレーキ操作量をＥＣＵ３０に送信する。
【００３２】
アクセル操作量取得部２３は、アクセルペダル（不図示）の操作量を取得するものである。アクセル操作量取得部２３としては、例えば、アクセルペダルのストロークを検出するセンサ等を用いることができる。そして、アクセル操作量取得部２３は、取得したアクセル操作量をＥＣＵ３０に送信する。
【００３３】
エンジン回転数取得部２４は、エンジン１の回転数を取得するものである。エンジン回転数取得部２４としては、例えば、エンジン１のクランクシャフトの回転数を検出するセンサや、クランクシャフトにギア等を介して接続された部材の回転数を検出するセンサ等を用いることができる。そして、エンジン回転数取得部２４は、取得したエンジン１の回転数をＥＣＵ３０に送信する。
【００３４】
タービン回転数取得部２５は、タービン３の回転数を取得するものである。タービン回転数取得部２５としては、例えば、タービン３の回転数を検出するセンサや、タービン３のモデルを用いてエンジン１の回転数などからタービン３の回転数を算出する算出装置などを用いることができる。そして、タービン回転数取得部２５は、取得したタービン３の回転数をＥＣＵ３０に送信する。
【００３５】
過給圧力取得部２６は、過給機２の過給圧力（ブースト圧）を取得するものである。過給機２の過給圧力とは、タービン３の回転によりエンジン１に強制的に供給された圧縮空気の圧力である。過給圧力取得部２６としては、エンジン１のインテークマニホールド（不図示）にホースを接続して圧力を計測する機械式ブースト計や、エンジン１のインテークマニホールドに設けて圧力を計測する電気式ブースト計等を用いることができる。そして、過給圧力取得部２６は、取得した過給機２の過給圧力をＥＣＵ３０に送信する。
【００３６】
吸入空気量取得部２７は、エンジン１に供給される吸入空気量を取得するものである。吸入空気量取得部２７は、エンジン１に供給される外気だけでなく、タービン３の回転によりエンジン１に強制的に供給される圧縮空気の空気量も取得する。吸入空気量取得部２７としては、エンジン１の吸気管に設けられたエアフローセンサ等を用いることができる。そして、吸入空気量取得部２７は、取得した吸入空気量をＥＣＵ３０に送信する。
【００３７】
制動力維持情報取得部２８は、制動力維持装置１３が作動しているか否かの制動力維持情報を取得するものである。制動力維持情報取得部２８としては、制動力維持装置１３自体の作動状態を検出する検出装置や、制動力維持装置１３が作動させる電磁弁の作動状態を検出する検出装置等を用いることができる。そして、制動力維持情報取得部２８は、取得した制動力維持情報をＥＣＵ３０に送信する。
【００３８】
ＥＣＵ３０は、主にＣＰＵ等の演算装置とメモリ等の記憶装置とにより構成されており、予め記憶された様々なプログラムに従って各種制御を行う制御装置である。ＥＣＵ３０は、タービン回転始動制御部３１と、過給圧力上昇制御部３２と、発進実行制御部３３と、の機能を備えている。そして、ＥＣＵ３０は、ギア位置情報取得部２１、ブレーキ操作量取得部２２、アクセル操作量取得部２３、エンジン回転数取得部２４、タービン回転数取得部２５、過給圧力取得部２６、吸入空気量取得部２７及び制動力維持情報取得部２８から送信された情報に基づいて、燃料噴射装置１１、機械式自動変速装置１２及び制動力維持装置１３を制御する。以下に、ＥＣＵ３０の各機能について説明する。
【００３９】
タービン回転始動制御部３１は、停止している車両のアクセルペダルが踏み込まれた場合に、タービン３を回転させるタービン回転始動制御を行うものである。タービン回転始動制御は、燃料噴射装置１１から燃料を噴射させることにより、タービン３を回転させる制御である。具体的に説明すると、タービン回転始動制御部３１は、発進制御装置４の処理開始条件を満たし、且つ、アクセルペダルがＯＮ操作された場合に、タービン回転始動制御を行う。発進制御装置４の処理開始条件は、（１）機械式自動変速装置１２のギア位置が車両を走行させるためのギア位置、例えばドライブに切り替えられていること、（２）ブレーキペダルがＯＦＦ操作されていること、（３）制動力維持装置１３が作動して制動力は維持されていることである。なお、タービン回転始動制御では、制動力維持装置１３の作動を停止することなく制動力を維持させておく。
【００４０】
過給圧力上昇制御部３２は、タービン回転始動制御部３１によるタービン回転始動制御の後に、過給機２の過給圧力を上げる過給圧力上昇制御を行うものである。過給圧力上昇制御は、エンジン１に負荷を与えることにより、過給機２の過給圧力を上げる制御である。具体的に説明すると、過給圧力上昇制御部３２は、機械式自動変速装置１２によりクラッチを接続させることにより、エンジン１に負荷を与える。なお、過給圧力上昇制御では、制動力維持装置１３の作動を停止することなく制動力を維持させておく。
【００４１】
発進実行制御部３３は、過給圧力上昇制御部３２による過給圧力上昇制御の後に、車両を発進させる発進実行制御を行うものである。発進実行制御は、燃料噴射装置１１から燃料を噴射させるとともに、機械式自動変速装置１２によりクラッチを接続させることにより、車両を発進させる制御である。具体的に説明すると、クラッチの接続方法としては、まず、クラッチを半クラッチ状態で接続させ、その後、クラッチを完全に接続させる。クラッチの接続は、クラッチのストローク量を調整することにより行うことができる。そして、発進実行制御部３３は、燃料噴射装置１１からの燃料の噴射と、機械式自動変速装置１２によるクラッチの半クラッチ状態での接続とを、同時又は略同時に行わせる。また、発進実行制御部３３は、発進実行制御を開始すると同時又は略同時に、制動力維持装置１３の作動を停止し、制動力の維持を解除する。そして、発進実行制御部３３は、クラッチの半クラッチ状態で接続させてから所定時間が経過すると、クラッチを完全に接続する。
【００４２】
次に、図３〜図５を参照して、発進制御装置４の処理動作について詳しく説明する。
【００４３】
図３及び図４は、本実施形態に係る発進制御装置の処理動作を示すフローチャートである。図５は、本実施形態に係る発進制御装置の処理動作を説明するためのタイムチャートである。
【００４４】
図３及び図４に示すように、ＥＣＵ３０は、まず、発進制御装置４の処理開始条件を満たすか否かを判定する（ステップＳ１）。ステップＳ１の処理は、タービン回転始動制御部３１のタービン回転始動制御により行われる。発進制御装置４の処理開始条件は、（１）機械式自動変速装置１２のギア位置が車両を走行させるためのギア位置、例えばドライブに切り替えられていること、（２）ブレーキがＯＦＦ操作されていること、（３）制動力維持装置１３が作動して制動力は維持されていること、の３条件を全て満たすことである。但し、ブレーキがＯＦＦ操作されても、後述するステップＳ１１までは、制動力維持装置１３の作動を停止することなく制動力を維持させておく。
【００４５】
ステップＳ１において、機械式自動変速装置１２のギア位置は、ギア位置情報取得部２１から送信されるギア位置の情報に基づいて判断することができる。
【００４６】
また、ステップＳ１において、ブレーキがＯＦＦ操作されたか否かは、ブレーキ操作量取得部２２から送信されるブレーキ操作量に基づいて判断することができる。例えば、ブレーキ操作量取得部２２から送信されるブレーキ操作量から、車両を停止させる制動力（ブレーキ力）が発生する程度にブレーキペダルが踏み込まれたと判断した場合は、ブレーキがＯＮ操作されたと判定する。一方、ブレーキ操作量取得部２２から送信されるブレーキ操作量から、ブレーキペダルを完全に戻したと判断した場合は、ブレーキがＯＦＦ操作されたと判定する。この場合、車両を停止させる制動力が発生しない程度にブレーキペダルを戻したと判定した場合も、ブレーキがＯＦＦ操作されたと判定してもよい。
【００４７】
また、ステップＳ１において、制動力維持装置１３が作動しているか否かは、制動力維持情報取得部２８から送信された制動力維持情報に基づいて判断することができる。
【００４８】
発進制御装置４の処理開始条件を満たすか否かを判定すると判定した場合（ステップＳ１：ＹＥＳ）、ＥＣＵ３０は、次に、アクセルがＯＮ操作されたか否かを判定する（ステップ２）。ステップＳ２の処理は、タービン回転始動制御部３１のタービン回転始動制御により行われる。但し、アクセルがＯＮ操作されても、後述するステップＳ７までは、機械式自動変速装置１２によりクラッチを接続させずに、クラッチを切り離す。
【００４９】
ステップＳ２において、アクセル操作がＯＮ操作されたか否かは、アクセル操作量取得部２３から送信されるアクセル操作量に基づいて判断することができる。例えば、アクセル操作量取得部２３から送信されるアクセル操作量から、アクセルペダルを踏み込んだと判断した場合は、アクセルがＯＮ操作されたと判定する。一方、アクセルペダルの踏み込みを解除したと判断した場合は、アクセルがＯＦＦ操作されたと判定する。この場合、アクセルペダルを踏み込んでいる場合であっても、車両を発進させることができないような操作、つまり、アクセルペダルの踏み込み量が所定の閾値以下である場合は、アクセルをＯＮ操作していないと判断してもよい。なお、この所定の閾値は、車種等によって適宜設定することができる。
【００５０】
アクセルがＯＮ操作されたと判定した場合（ステップＳ２：ＹＥＳ）、ＥＣＵ３０は、次に、燃料噴射量を第二噴射量Ａ［ｍｍ３／ｓｔ−ｃｙｌ］に設定する（ステップＳ３）。ステップＳ３の処理は、タービン回転始動制御部３１のタービン回転始動制御により行われる。ここで、第二噴射量Ａは、アクセルの操作量に対応した第一噴射量よりも少ない噴射量となる。つまり、アクセルの操作量に対応した噴射量が第一噴射量となり、この第一噴射量よりも少ない噴射量が第二噴射量Ａとなる。
【００５１】
すると、図５に示すように、燃料噴射装置１１から第二噴射量Ａで燃料が噴射されることで、エンジン１の回転数がＩｄｌｅ回転数から上がる。Ｉｄｌｅ回転数は、エンジン１がＩｄｌｅ状態のときの回転数であり、車種や車両状況等によって異なるが、例えば、５００［ｒｐｍ］に設定することができる。これにより、エンジン１から排出される排気ガスによりタービン３が回転するとともにタービン３の回転数が上がり、これに伴いエンジン１に供給される吸入空気量が上がる。
【００５２】
次に、ＥＣＵ３０は、エンジン１の回転数が（目標回転数Ｂ−設定値Ｃ）［ｒｐｍ］まで上昇したか否かを判定する（ステップＳ４）。ステップＳ４の処理は、タービン回転始動制御部３１のタービン回転始動制御により行われる。ここで、目標回転数Ｂは、適宜設定される値であって、例えば、１０００［ｒｐｍ］に設定することができる。設定値Ｃは、目標回転数ＢからＩｄｌｅ回転数を差し引いた回転数よりも小さい回転数であって、例えば、５０［ｒｐｍ］に設定することができる。なお、ステップＳ４は、エンジン１の回転数がＩｄｌｅ回転数から目標回転数Ｂに至る直前であるか否かを検出するための判定処理である。
【００５３】
ステップＳ４において、エンジン１の回転数が（目標回転数Ｂ−設定値Ｃ）まで上昇したか否かは、エンジン回転数取得部２４から送信されたエンジン回転数と（目標回転数Ｂ−設定値Ｃ）との比較により判断することができる。
【００５４】
エンジン１の回転数が（目標回転数Ｂ−設定値Ｃ）まで上昇したと判定した場合（ステップＳ４：ＹＥＳ）、ＥＣＵ３０は、次に、エンジン１の回転数が目標回転数Ｂに保持されるように燃料噴射量を第三噴射量Ｄ［ｍｍ３／ｓｔ−ｃｙｌ］に設定し、その後、エンジン１の回転数が目標回転数Ｂに保持されるように燃料噴射量をフィードバック制御する（ステップＳ５）。ステップＳ５の処理は、タービン回転始動制御部３１のタービン回転始動制御により行われる。第三噴射量Ｄは、エンジン１の回転数を上げるのではなくエンジン１の回転数を目標回転数Ｂに保持するための噴射量であることから、第二噴射量Ａよりも少ない噴射量となる。
【００５５】
すると、図５に示すように、エンジン１がＩｄｌｅ回転数よりも高い目標回転数Ｂで回転しているため、タービン３の回転数及びエンジン１に供給される吸入空気量は上がり続ける。
【００５６】
以上のステップＳ１〜ステップＳ５の処理が、停止している車両のアクセルペダルが踏み込まれた場合に、機械式自動変速装置１２によりクラッチを接続させることなく燃料噴射装置１１から燃料を噴射させることにより、タービン３を回転させるタービン回転始動制御ステップとなる。
【００５７】
次に、ＥＣＵ３０は、吸入空気量が吸入空気量Ｅ［ｇ／ｓ］以上、又は、タービン３の回転数が回転数Ｆ［ｒｐｓ］以上まで上昇したか否かを判定する（ステップＳ６）。ステップＳ６の処理は、過給圧力上昇制御部３２の過給圧力上昇制御により行われる。吸入空気量Ｅ及び回転数Ｆは、適宜設定される値であり、例えば、後述するステップＳ１０の段階で十分な過給圧力が得られる値とすることができる。吸入空気量Ｅは、例えば、３５［ｇ／ｓ］に設定することができ、回転数Ｆは、例えば、４００００［ｒｐｍ］に設定することができる。
【００５８】
ステップＳ６において、吸入空気量が吸入空気量Ｅ以上まで上昇したか否かは、吸入空気量取得部２７から送信された吸入空気量と吸入空気量Ｅとを比較することにより判断することができる。
【００５９】
また、ステップＳ６において、タービン３の回転数が回転数Ｆ以上まで上昇したか否かは、タービン回転数取得部２５から送信された回転数と回転数Ｆとを比較することにより判断することができる。
【００６０】
吸入空気量が吸入空気量Ｅ以上、又は、タービン３の回転数が回転数Ｆ以上まで上昇したと判定した場合（ステップＳ６：ＹＥＳ）、ＥＣＵ３０は、次に、機械式自動変速装置１２のクラッチのストローク量をストローク量Ｇ［ｍｍ］に設定し、その後、エンジン１の回転数の低下速度が−Ｈ［ｒｐｍ／ｓ］となるようにクラッチのストローク量をフィードバック制御する（ステップＳ７）。ステップＳ７の処理は、過給圧力上昇制御部３２の過給圧力上昇制御により行われる。ストローク量Ｇ［ｍｍ］は、クラッチを半クラッチ状態である第一接続状態よりもクラッチの滑り量が多くなる第二接続状態に接続させるためのストローク量である。
【００６１】
すると、図５に示すように、クラッチの接続によりエンジン１に回転を阻害しようとする負荷が発生するため、エンジン１の回転数が低下する。一方、タービン３は慣性により回転し続けようとするためエンジン１よりも回転数の低下速度が遅くなる。これにより、エンジン１の回転数に対してエンジン１に供給される吸入空気量が多くなるため、過給機２の過給圧力が上がる。
【００６２】
以上のステップＳ６〜ステップＳ７の処理が、タービン回転始動制御の後に、エンジン１に負荷を与えることにより、過給機２の過給圧力を上げる過給圧力上昇制御ステップとなる。
【００６３】
次に、ＥＣＵ３０は、エンジン１の回転数が（Ｉｄｌｅ回転数＋設定回転数Ｉ）［ｒｐｍ］まで低下、又は、過給機２の過給圧力が設定過給圧力Ｊ［ｋＰａ］まで上昇したか否かを判定する（ステップＳ８）。ステップＳ８の処理は、発進実行制御部３３の発進実行制御により行われる。設定回転数Ｉは、目標回転数ＢからＩｄｌｅ回転数を差し引いた回転数よりも小さい回転数であって、例えば、５０［ｒｐｍ］に設定することができる。なお、ステップＳ４におけるエンジン１の回転数が（Ｉｄｌｅ回転数＋設定回転数Ｉ）まで低下したか否かの判定は、エンジン１の回転数が目標回転数ＢからＩｄｌｅ回転数に至る直前であるか否かを検出するための判定である。設定過給圧力Ｊは、適宜設定される値であり、例えば、車両を発進させるための十分なトルクを確保できる過給圧力に設定することができる。設定過給圧力Ｊは、例えば、ゲージ圧で２０［ｋＰａ］に設定することができる。
【００６４】
ステップＳ８において、エンジン１の回転数が（Ｉｄｌｅ回転数＋設定回転数Ｉ）まで低下したか否かは、エンジン回転数取得部２４から送信された回転数と（Ｉｄｌｅ回転数＋設定回転数Ｉ）との比較により判断することができる。
【００６５】
また、ステップＳ８において、過給機２の過給圧力が設定過給圧力Ｊまで上昇したか否かは、過給圧力取得部２６から取得した過給圧力と設定過給圧力Ｊとの比較により判断することができる。
【００６６】
エンジン１の回転数が（Ｉｄｌｅ回転数＋設定回転数Ｉ）まで低下、又は、過給機２の過給圧力が設定過給圧力Ｊまで上昇したと判定した場合（ステップＳ８：ＹＥＳ）、ＥＣＵ３０は、次に、燃料噴射量を第四噴射量Ｋ［ｍｍ３／ｓｔ−ｃｙｌ］に設定する（ステップＳ９）。ステップＳ９の処理は、発進実行制御部３３の発進実行制御により行われる。第四噴射量Ｋは、現在の過給圧力に対応した噴射量となる。つまり、車両には、過給機２の過給圧と燃料の噴射量が対応付けられた制限噴射量マップ（不図示）が設けられている。制限噴射量マップは、ブーストコンペンセーターが噴射量を決定するためのマップである。そして、ステップＳ９では、制限噴射量マップから現在の過給圧力に対応した噴射量を求め、この求めた噴射量を第四噴射量Ｋに設定する。
【００６７】
また、ステップＳ９と同時又は略同時に、ＥＣＵ３０は、機械式自動変速装置１２のクラッチのストローク量をストローク量Ｌ［ｍｍ］に設定し、その後、エンジン１の回転数が（Ｉｄｌｅ＋設定値Ｍ）［ｒｐｍ］となるようにクラッチのストローク量をフィードバック制御する（ステップＳ１０）。ステップＳ１０の処理は、発進実行制御部３３の発進実行制御により行われる。ストローク量Ｌは、クラッチを半クラッチ状態である第一接続状態に接続させるためのストローク量である。設定値Ｍは、目標回転数ＢからＩｄｌｅ回転数を差し引いた回転数よりも小さい回転数であって、例えば、５０［ｒｐｍ］に設定することができる。なお、ステップＳ１０のフィードバック制御は、クラッチの摩耗を最大限に抑制しつつ、クラッチを接続する際にエンジン１が停止しないように、エンジン１の回転数をＩｄｌｅ回転数よりも僅かに高く保持させる制御処理である。
【００６８】
また、ステップＳ９及びステップＳ１０と同時又は略同時に、ＥＣＵ３０は、制動力維持装置１３の作動を停止して、車両が動けるように制動力の維持を解除する（ステップＳ１１）。ステップＳ１０の処理は、発進実行制御部３３の発進実行制御により行われる。
【００６９】
すると、図５に示すように、クラッチが半クラッチ状態で接続されることにより車両が発進する。このとき、ステップＳ７においてクラッチを第二接続状態に接続させたことで、過給機２の過給機の過給圧力が高くなっているため、車両を発進させるための十分なトルクを確保できる。これにより、車両の発進性が向上する。また、ステップＳ７においてクラッチを第二接続状態に接続させたことで、エンジン１の回転数が低下しているため、クラッチの接続に伴うクラッチ板の摩耗が抑制される。これにより、クラッチの寿命低下を抑制することができる。
【００７０】
次に、ＥＣＵ３０は、ステップＳ１０において機械式自動変速装置１２のクラッチのストローク量をストローク量Ｌ［ｍｍ］に設定してからの時間が設定時間Ｎ［ｓｅｃ］以上経過しているか否かを判定する（ステップＳ１２）。ステップＳ１２の処理は、発進実行制御部３３の発進実行制御により行われる。なお、ステップＳ１２は、クラッチを半クラッチ状態で接続することで、エンジン１から駆動輪への回転駆動力の伝達割合を徐々に上げていく制御処理である。設定時間Ｎは、適宜設定される値であり、例えば、エンジン１から駆動輪への回転駆動力の伝達割合が１００％近くになるまでの時間に設定することができる。設定時間Ｎは、例えば、３［ｓｅｃ］に設定することができる。
【００７１】
ステップＳ１０において機械式自動変速装置１２のクラッチのストローク量をストローク量Ｌ［ｍｍ］に設定してからの時間が設定時間Ｎ以上経過していると判定した場合（ステップＳ１２：ＹＥＳ）、ＥＣＵ３０は、次に、機械式自動変速装置１２のクラッチを完全に接続するようにストローク量を設定する（ステップＳ１３）。ステップＳ１３の処理は、発進実行制御部３３の発進実行制御により行われる。
【００７２】
以上のステップＳ８〜ステップＳ１３の処理が、過給圧上昇制御ステップの後に、燃料噴射装置１１から燃料を噴射させるとともに、機械式自動変速装置１２によりクラッチを接続させることにより、車両を発進させる発進実行制御ステップとなる。
【００７３】
ステップＳ１３により、クラッチが完全に接続されるため、発進制御装置４の処理を終了し、通常の処理に移行する。
【００７４】
ここで、図６を参照して、比較例との対比により本実施形態の効果を説明する。比較例の発進制御装置は、本実施形態のタービン回転始動制御部３１及び過給圧力上昇制御部３２がなく、タービン回転始動制御ステップ及び過給圧力上昇制御ステップを行わずに車両の発進制御を行うものである。
【００７５】
図６は、比較例の発進制御装置の処理動作を説明するためのタイムチャートである。図６に示すように比較例の発進制御装置では、停止している車両のアクセルペダルが踏み込まれた場合に、燃料噴射装置１１から燃料を噴射させると同時に、機械式自動変速装置１２のクラッチを半クラッチ状態で接続する。また、微小時間経過後に、制動力維持装置１３の作動を停止して制動力の維持を解除する。すると、過給機２の過給圧力は徐々にしか高まらない。その結果、アクセルペダルを踏み込んでから暫くの間は、ブーストコンペンセーターの働きにより燃料噴射装置１１から噴射される燃料の噴射量が大幅に制限されるため、車両を発進させるための十分なトルクを確保できない。
【００７６】
これに対し、本実施形態に係る発進制御装置４では、タービン回転始動制御部３１のタービン回転始動制御によりクラッチを接続することなく燃料噴射装置１１から燃料を噴射させると、エンジン１の回転数が上がるため、エンジン１から排出される排気ガスによりタービン３が回転する。その後、過給圧力上昇制御部３２の過給圧力上昇制御によりエンジン１に負荷を与えると、エンジン１は回転数が低下するが、タービン３は慣性により回転し続けようとするためエンジン１よりも回転数の低下速度が遅くなる。これにより、過給機２の過給圧力が上がる。その後、発進実行制御部３３の発進実行制御により燃料噴射装置１１から燃料を噴射させるとともに機械式自動変速装置１２によりクラッチを接続させることにより、車両が発進する。ここで、発進実行制御を行う際は、過給圧力上昇制御により過給機２の過給圧力が高くなっているため、車両を発進させるための十分なトルクを確保できる。これにより、車両の発進性が向上する。また、発進実行制御を行う際は、過給圧力上昇制御によりエンジンの回転数が低下しているため、クラッチの接続に伴うクラッチ板の摩耗が抑制される。これにより、クラッチの寿命低下を抑制することができる。
【００７７】
そして、過給圧力上昇制御部３２が、機械式自動変速装置１２によりクラッチを接続させることで、エンジン１に回転を阻害しようとする負荷が発生するため、エンジン１の回転数を低下させることができる。しかも、過給圧力上昇制御部３２が、クラッチを半クラッチ状態である第一接続状態よりもクラッチの滑り量が多くなる第二接続状態で接続させるため、クラッチ板の摩耗を抑制しつつ、エンジン１の回転数を下げることができる。この場合、第二接続状態を車両が発進しない程度の接続状態とすることで、別途制動力を発生させなくても、クラッチの接続により車両が不意に発進するのを防止することができる。
【００７８】
ところで、タービン回転始動制御では、クラッチを接続させないため、クラッチを接続させる場合よりも、エンジン１を回転させるために必要な燃料が少なくなる。そこで、タービン回転始動制御部３１は、燃料噴射装置からアクセルペダルの操作量に対応した第一噴射量よりも少ない第二噴射量Ａで燃料を噴射させることで、燃料消費量の増加を抑制しつつ、エンジン１及びタービン３を回転させることができる。
【００７９】
また、タービン回転始動制御及び過給圧力上昇制御を行うと、ドライバがアクセルを踏み込んでから車両が発進されるまでの間にタイムラグがある。このため、車両が勾配のある道路等に停車している場合は、その間に車両が下り側に下がる可能性がある。そこで、制動力維持装置１３を備えるとともに、制動力維持装置１３が、アクセルが踏み込まれても、発進実行制御部３３が発進実行制御を開始するまで制動力を維持することで、勾配のある道路等に停車している場合にも、タービン回転始動制御及び過給圧力上昇制御を行っている際に車両が下り側に下がるのを防止することができる。
【００８０】
以上、本発明の好適な実施形態について説明したが、本発明は上記実施形態に限定されるものではない。
【００８１】
例えば、上記実施形態では、車両に制動力維持装置１３が設けられているものとして説明したが、車両に制動力維持装置１３が設けられていなくてもよい。この場合、過給圧力上昇制御部３２は、ステップＳ７において設定するストローク量Ｇとして、クラッチを車両が発進しない程度の接続状態に接続するためのストローク量とすることで、別途制動力を発生させなくても、クラッチの接続により車両が不意に発進するのを防止することができる。なお、車両が勾配のある道路等に停車している場合は、ドライバがブレーキペダルやサイドブレーキを操作することで、ドライバがアクセルを踏み込んでから車両が発進されるまでの間に車両が下り側に下がるのを防止することができる。
【００８２】
また、上記実施形態では、過給圧力上昇制御部３２が、機械式自動変速装置１２によりクラッチを接続させることによりエンジン１に負荷を与えるものとして説明したが、機械式自動変速装置１２によりクラッチを接続させることに代えて、又は、機械式自動変速装置１２によりクラッチを接続させることに加えて、エンジン１の動力により駆動されるエンジン負荷増大装置（不図示）を作動させることによりエンジン１に負荷を与えるものとしてもよい。エンジン負荷増大装置としては、例えば、オルタネータ―、エアーコンプレッサー、電子制御ファンクラッチ等を用いることができる。
【００８３】
このようにすれば、過給圧力上昇制御部３２が、エンジン１の動力により駆動されるエンジン負荷増大装置を作動させることで、エンジン１に回転を阻害しようとする負荷が発生するため、エンジン１の回転数を低下させることができる。そして、クラッチの接続を伴わずにエンジンに負荷を与える場合は、クラッチ板を摩耗させることなくエンジン１に負荷を与えることができるため、クラッチの寿命低下を大きく抑制することができる。一方、クラッチの接続と併せてエンジン１に負荷を与える場合であっても、エンジン１に負荷を与えるためのクラッチの役割分担量が減るため、寿命低下を抑制することができる。
【００８４】
また、上記実施形態では、具体的な処理動作として、燃料の噴射量、エンジン１の回転数、吸入空気量、タービン３の回転数、クラッチのストローク量、エンジン１の回転数の低下速度、過給圧力等の具体的な値を説明したが、これらの値は、本発明の趣旨に反しない範囲で変更してもよい。
【００８５】
また、上記実施形態では、具体的な処理フローを説明したが、本発明の趣旨に反しない範囲で一部の処理を削除または変更してもよい。例えば、ステップＳ４及びステップＳ５を行わずに、ステップＳ３の処理によりエンジン１の回転数が目標回転数Ｂまで上昇した場合は、直接ステップＳ６に進んでもよい。
【符号の説明】
【００８６】
１…エンジン、２…過給機、３…タービン、４…発進制御装置、１１…燃料噴射装置、１２…機械式自動変速装置、１３…制動力維持装置、２１…ギア位置情報取得部、２２…ブレーキ操作量取得部、２３…アクセル操作量取得部、２４…エンジン回転数取得部、２５…タービン回転数取得部、２６…過給圧力取得部、２７…吸入空気量取得部、２８…制動力維持情報取得部、３０…ＥＣＵ、３１…タービン回転始動制御部、３２…過給圧力上昇制御部、３３…発進実行制御部。
【図１】
2015101242.tif 000003
【図２】
2015101242.tif 000004
【図３】
2015101242.tif 000005
【図４】
2015101242.tif 000006
【図５】
2015101242.tif 000007
【図６】
2015101242.tif 000008